(57)【要約】【課題】書類等の収納物を収納する機能の他に、書類等の収納物を収納した状態で掲示板等に取り付けて掲示する機能を備えたものを提供する。【解決手段】透視可能な表シート３と裏シート４との間に、周縁のうちの隣接する二縁６、７が閉塞され、他の隣接する二縁８、９が開放される収納室１０が形成されるホルダー本体２と、ホルダー本体２の開放される二縁８、９のうちの一方に対応する表シート３の部分及び裏シート４の部分にそれぞれ設けられるマグネット１１、１２とを備える。マグネット１１、１２を互いに吸着させることにより収納室１０内に収納物１３が収納され、この状態で、マグネット１１又はマグネット１２を掲示板等に吸着させることにより、ホルダー本体２が掲示板等に取り付けられる。【選択図】        図３
2004230870.tif 000002
【特許請求の範囲】
【請求項１】
透視可能な表シートと裏シートとの間に、周縁のうちの隣接する二縁が閉塞され、他の隣接する二縁が開放される収納室が形成されるホルダー本体と、該ホルダー本体の開放される二縁のうちの何れか一方に対応する表シートの部分及び裏シートの部分にそれぞれ設けられるマグネット部分を備えてなることを特徴とするクリヤーホルダー。
【請求項２】
前記マグネット部分は、前記縁に対応する前記表シートの部分及び裏シートの部分にそれぞれがほぼ全縁長に亘って設けられていることを特徴とする請求項１に記載のクリヤーホルダー。
【請求項３】
前記マグネット部分は、前記縁に対応する前記表シートの部分及び裏シートの部分にそれぞれが全縁長に沿って所定の間隔ごとに設けられていることを特徴とする請求項１に記載のクリヤーホルダー。
【請求項４】
前記マグネット部分が、シート状のマグネットであることを特徴とする請求項１から３の何れかに記載のクリヤーホルダー。
【請求項５】
前記マグネットは、前記縁に対応する前記表シートの部分及び裏シートの部分の外面側に設けられていることを特徴とする請求項４に記載のクリヤーホルダー。
【請求項６】
前記マグネット部分が、シート自体に磁性を持たせたものであることを特徴とする請求項１から３の何れかに記載のクリヤーホルダー。
【請求項７】
前記マグネット部分が、前記解放された二縁に沿って設けられたことを特徴とする請求項１から６の何れかに記載のクリヤーホルダー。
【請求項８】
裏シートのマグネット部分の幅あるいは長さ又は面積が、表シートのマグネット部分の幅あるいは長さ又は面積に対して、大きいことを特徴とする請求項１から７の何れかに記載のクリヤーホルダー。
【発明の詳細な説明】
【０００１】
【発明の属する技術分野】
本発明は、連絡事項等を記載した書類等の収納物を収納するのに利用されるクリヤーホルダーに関し、特に、書類等の収納物を収納する機能の他に、書類等の収納物を収納した状態で掲示機能も備えたクリヤーホルダーに関するものである。
【０００２】
【従来の技術】
従来、クリヤーホルダーの一例として、ポリプロピレン等からなる矩形状の表シートと裏シートとの間に、周縁のうちの隣接する二縁が閉塞され、他の隣接する二縁が開放される収納室を形成したものが知られている（例えば、非特許文献１参照。）。
【０００３】
また、クリヤーホルダーの他の例として、裏シートの外面に面ファスナーを取り付けるとともに、掲示板の所定の位置にも面ファスナーを取り付け、これらの面ファスナー同士を接触させることにより、掲示板に着脱可能としたものが知られている（例えば、特許文献１参照。）。
【０００４】
【非特許文献１】
コクヨ株式会社、ホームページ内、クリヤーホルダー、インターネット、ｗｗｗ．ｋｏｋｕｙｏ．ｃｏ．ｊｐ／
【特許文献１】
特開平１１−１９４７２７号公報
【０００５】
【発明が解決しようとする課題】
ところで、上記の非特許文献１に記載されているクリヤーホルダーにあっては、開放されている部分から収納室内に書類等の収納物を挿入することにより、書類等の収納物が両シート間で挟持されて収納室内に収納され、表シート又は裏シートを透視して外部から収納室内の書類等の収納物を目視することができる。しかし、書類等の収納物を収納した状態で掲示板等に取り付ける機能は備えていないため、掲示板等に取り付けて掲示するには、市販のマグネットホルダー等を用いてクリヤーホルダーを掲示板等に取り付けなければならない。
【０００６】
一方、上記の特許文献１に記載されているクリヤーホルダーにあっては、書類等の収納物を収納する機能の他に、書類等の収納物を収納した状態で掲示板に取り付けて掲示する機能も備えている。しかし、クリヤーホルダーの掲示板への着脱を繰り返すことにより、短期間で面ファスナーの吸着力が低下してしまう。さらに、二縁が開放されているクリヤーホルダーを使用した場合には、掲示板に取り付けたときに、開放されている部分から書類等の収納物が脱落する虞がある。さらに、掲示板の任意の位置に取り付けることができないため、取付け箇所が制限されてしまう等の問題点があった。
【０００７】
本発明は、上記のような従来の問題に鑑みなされたものであって、書類等の収納物を収納することができるとともに、書類等の収納物を収納した状態で掲示板等に取り付けて掲示することができ、さらに、掲示板等の任意の位置に取り付けることができ、さらに、掲示板等への着脱を繰り返しても短期間で掲示板等への吸着力が低下するようなことがなく、そして、収納した書類等の収納物が掲示板等への掲示中に脱落する虞がないクリヤーホルダーを提供することを目的とするものである。
【０００８】
【課題を解決するための手段】
上記のような課題を解決するために、本発明のクリヤーホルダーは、透視可能な表シートと裏シートとの間に、周縁のうちの隣接する二縁が閉塞され、他の隣接する二縁が開放される収納室が形成されるホルダー本体と、該ホルダー本体の開放される二縁のうちの何れか一方に対応する表シートの部分及び裏シートの部分にそれぞれ設けられるマグネット部分を備えてなることを特徴とする。また、前記マグネット部分は、前記縁に対応する前記表シートの部分及び裏シートの部分にそれぞれがほぼ全縁長に亘って設けられていることを特徴とする。さらに、前記マグネット部分は、前記縁に対応する前記表シートの部分及び裏シートの部分にそれぞれが全縁長に沿って所定の間隔ごとに設けられていることを特徴とする。又更に、前記マグネット部分が、シート状のマグネットであることを特徴とする。更にまた、前記マグネットは、前記縁に対応する前記表シートの部分及び裏シートの部分の外面側に設けられていることを特徴とする。また、前記マグネット部分が、シート自体にマグネットを持たせたものであることを特徴とする。さらに、前記マグネット部分が、前記解放された二縁に沿って設けられた裏シートのマグネット部分の幅あるいは長さ又は面積が、表シートのマグネット部分の幅あるいは長さ又は面積に対して、大きいことを特徴とするものである。
【０００９】
【作用】
本発明は、上記のような手段を採用したことにより、ホルダー本体の開放されている部分から書類等の収納物を収納室内に挿入し、一方の縁の表シートの部分及び裏シートの部分に設けられているマグネット部分同士を吸着させることによりその縁が閉塞されることになる。そして、この状態でマグネット部分を掲示板等に付着させることにより、書類等の収納物を収納した状態でホルダー本体が掲示板等に取り付けられ、表シート又は裏シートを透視して外部から収納室内の書類等の収納物を目視することが可能となる。
【００１０】
【発明の実施の形態】
以下、図面を参照しつつ本発明の実施の形態について説明する。
図１から図３には、本発明によるクリヤーホルダーの一実施の形態が示されていて、このクリヤーホルダー１は、内部に、隣接する二縁６、７が閉塞され、他の隣接する二縁８、９が開放される収納室１０が設けられるホルダー本体２と、ホルダー本体２の開放される一方の縁８に対応する部分に設けられるマグネット１１、１２とを備えている。
【００１１】
ホルダー本体２は、矩形状のシートを二つ折りにして重合し、表側に位置する半部を表シート３とし、裏側に位置する半部を裏シート４とし、周縁のうち、折曲げ部５に隣接する縁７に対応する両シート３、４間を熱融着により一体に接合し、両シート３、４間に、隣接する二縁６、７が閉塞され、他の隣接する二縁８、９が開放される収納室１０を形成したものである。
【００１２】
表シート３及び裏シート４を構成するシートは、透視可能な素材からなるものであって、例えば、ポリプロピレン、ポリエチレン、ポリスチレン、ポリエチレンテレフタレート、メタクリル樹脂等の半透明樹脂、透明樹脂が挙げられる。これらの半透明樹脂、透明樹脂は、透視可能であれば着色したものであっても良い。
【００１３】
ホルダー本体２は、開放されている二縁８、９から収納室１０内に書類等の収納物１３を挿入することにより、書類等の収納物１３を表シート３と裏シート４の間で挟持した状態で収納室１０内に保持することができるものである。この場合、表シート３及び裏シート４は透視可能となっているので、外部から収納室１０内の書類等の収納物１３に記載されている内容を目視することができるものである。
【００１４】
ホルダー本体２としては、例えば、市販のクリヤーホルダー（クリヤーホルダーエコノミーＡ４透明（商品名）：コクヨ株式会社製）等を挙げることができる。但し、これに限定することなく、同様の特性を有するものであれば良い。
【００１５】
ホルダー本体２の開放されている二縁８、９のうち、一方の縁８に対応する表シート３の部分及び裏シート４の部分の外面側には、それぞれ帯状のマグネット１１、１２が全幅に渡って接着剤によって取り付けられ、このマグネット１１、１２を互いに吸着させることによりその縁８が閉塞され、このマグネット１１、１２を互いに引き離すことによりその縁８が開放されるようになっている。
【００１６】
マグネット１１、１２としては、可撓性を有するとともに、両面着磁タイプで着磁パターンがマグネット１１、１２の長手方向を向くものが有効であり、市販のシート状のマグネット（ラバーマグネット（商品名）：マグテック株式会社製）等を所定の長さ、幅に切断して使用すれば良い。
【００１７】
この場合、図示はしないが、マグネット１１、１２を表シート３及び裏シート４の全幅に渡って設けずに、帯状のものを所定の間隔ごとに設けても良い。マグネット１１、１２は、帯状に限らず、円板状、三角板状等としても良い。
【００１８】
そして、図１に示すように、上記のように構成したホルダー本体２の両マグネット１１、１２を引き離し、周縁のうちの隣接する二縁８、９を開放させて、その開放されている部分から収納室１０内に書類等の収納物１３を挿入し、図２に示すように、両マグネット１１、１２を互いに吸着させて一方の縁８を閉塞し、この状態で図３に示すように、裏シート４側のマグネット１２又は表シート３側のマグネット１１を鋼製等のマグネット掲示板１５等に吸着させることにより、書類等の収納物１３を収納した状態でホルダー本体２を掲示板１５等に取り付けることができ、表シート３又は裏シート４を透視して収納室１０内の書類等の収納物１３を目視することができる。
【００１９】
上記のように構成したこの実施の形態によるクリヤーホルダー１にあっては、書類等の収納物１３を収納する機能の他に、掲示板１５等に取り付ける機能も備えているので、掲示板１５等に取り付けて掲示する場合に、市販のマグネットホルダー等を利用することなく簡単に掲示板１５等へ取り付けて掲示することができることになる。
【００２０】
また、開放されている二縁８、９のうちの一方の縁８がマグネット１１、１２によって閉塞されることになるので、収納室１０内に収納した書類等の収納物１３が掲示中に脱落する虞は全くないものである。この場合、マグネット１１、１２の着磁パターンは、長手方向を向くものであるので、表シート３と裏シート４との間を強固に閉塞することができるので、収納室１０からの書類等の収納物１３の脱落を効果的に防止することができる。
【００２１】
さらに、ホルダー本体２の掲示板１５等への取付けにマグネット１１、１２を使用しているので、掲示板１５等への着脱を繰り返しても吸着力が低下するようなことはなく、長期的に安定して着脱を繰り返すことが可能となる。さらに、掲示板１５等の任意の位置に取り付けることができるので、掲示板１５等に限らず、電化製品の表面等にも取り付けることができ、利用範囲を広げることができることになる。
【００２２】
さらに、表シート３及び裏シート４の両方にマグネット１１、１２が設けられているので、表シート３又は裏シート４の何れを表側にしても良いので、掲示板１５等への掲示の際に収納物１３の表裏を確認する必要はなく、掲示板１５等への掲示が容易となる。
【００２３】
さらに、市販のクリヤーホルダー及びシート状のマグネットを利用して簡単に製作することができるので、安価なものを提供することができることになる。
【００２４】
本発明のマグネット部分は、上記マグネット１１，１２に限定するものではなく、シート３，４自体に磁性を帯びさせたものであってもよい。また、マグネット部分を、前記解放された二縁に沿って設けてもよい。さらに、裏シートのマグネット部分の幅あるいは長さ又は面積を、表シートのマグネット部分の幅あるいは長さ又は面積に対して、大きくして、掲示板１５等への付着力を大きくしてもよい。
【００２５】
なお、前記の説明においては、ホルダー本体２の収納室１０内に書類等の収納物１３を収納した場合について説明したが、一般家庭等において、ホルダー本体２の収納室１０内に緊急連絡表、料理のレシピ、新聞折込みの載チラシ、電話番号表、メモ用紙等を収納し、ホルダー本体２をマグネット１１、１２により冷蔵庫等の電化製品の表面、電話台等に取り付けても良いものであり、その場合にも前述したものと同様の効果が得られるものである。
【００２６】
さらに、前記の説明においては、ホルダー本体２の収納室１０内に書類等の収納物１３を収納するように構成したが、図示はしないが、ホルダー本体２の表シート３又は裏シート４の表面に筒状に形成した保持部材を取り付け、この保持部材に鉛筆、ボールペン、消しゴム等の筆記用具の一部を挿入することにより、それらをホルダー本体２の表面に保持するようにしても良い。
【００２７】
【発明の効果】
以上、説明したように、本発明のクリヤーホルダーによれば、ホルダー本体の開放されている二縁のうちの一方の縁は、その縁に対応する表シートの部分及び裏シートの部分に設けられているマグネット部分を互いに吸着させることにより閉塞されることになり、この状態で表シート側のマグネット部分又は裏シート側のマグネット部分を鋼製等の磁性掲示板等に付着させることにより、ホルダー本体が掲示板等に取り付けられることになる。
従って、ホルダー本体を掲示板等に取り付ける場合に、市販のマグネットホルダー等を利用することなく、掲示板等へ簡単に取り付けることができることになる。
また、掲示板等へ取り付けたときに、ホルダー本体の開放さている一方の縁はマグネット部分により閉塞されることになるので、収納室内に収納した書類等の収納物が掲示中に脱落するのを防止できることになる。この場合、マグネット部分の磁性パターンを長手方向を向くものとすることにより、更に効果的に脱落を防止できることになる。
さらに、マグネット部分によってホルダー本体を掲示板等に取り付ける構成となっているので、掲示板等の任意の位置に取り付けることが可能となり、掲示板等の他に電化製品の表面等にも取り付けることができることになり、利用範囲を広げることができることになる。
さらに、掲示板等への取付けにマグネット部分の磁力を利用しているので、掲示板等への着脱を繰り返しても付着力が低下するようなことはなく、長期的に着脱を繰り返すことができることになる。
さらに、市販のクリヤーホルダー及びシート状のマグネットを使用して簡単に製作することができるので、安価なものを提供することができることになる。
【図面の簡単な説明】
【図１】本発明によるクリヤーホルダーの一実施の形態の全体を示した説明図であって、マグネット部分を引き離した状態を示した説明図である。
【図２】本発明のクリヤーホルダーの一実施の形態の全体を示した説明図であって、マグネット部分を吸着させた状態を示した説明図である。
【図３】本発明のクリヤーホルダーを掲示板に取り付けた状態を示した説明図である。
【符号の説明】
１  クリヤーホルダー
２  ホルダー本体
３  表シート
４  裏シート
５  折曲げ部
６  縁（閉塞側）
７  縁（閉塞側）
８  縁（開放側）
９  縁（開放側）
１０  収納室
１１、１２  マグネット
１３  収納物
１５  掲示板
【図１】
2004230870.tif 000003
【図２】
2004230870.tif 000004
【図３】
2004230870.tif 000005